(57)【要約】【課題】  眼鏡型、頭部装着型などの画像表示装置にＰＣなどから送信される画像を表示する際に、ユーザ認証を簡易に行えるようにする。【解決手段】  ユーザＹが画像表示装置１０１を頭部に装着したことをセンサ１１１で検出すると、ＣＣＤイメージセンサ１０５でユーザＹの右目の画像を撮影して画像表示装置１０１に接続されているＰＣに送信する。ＰＣではユーザＹの右目の画像でユーザＹの虹彩認証を行う。そして、虹彩認証がされたことを条件にＬＣＤ１０４に表示する画像データを画像表示装置１０１に送信する。【選択図】  図２
2007003745.tif 000002
【特許請求の範囲】
【請求項１】
ユーザの頭部に装着される支持体と、
前記支持体に支持されてユーザの眼前に配置される本体と、
前記本体に設けられてユーザの眼前に画像を表示するディスプレイと、
前記支持体又は前記本体に設けられ前記装着がされた状態で当該支持体側又は当該本体側からユーザの顔の少なくとも一部の画像を撮影できる位置に配置されている撮像素子と、
を備えている画像表示装置。
【請求項２】
請求項１に記載の画像表示装置と、
前記撮像素子で撮影した画像によりユーザの生体認証を行う認証手段と、
前記生体認証がなされたことを条件に前記ディスプレイでの画像の表示を許可する許可手段と、
を備えている画像表示システム。
【請求項３】
前記許可手段は、前記生体認証がなされたことを条件に前記ディスプレイに表示する画像データを前記画像表示装置に送信する送信手段であり、
前記画像表示装置で前記送信がされた画像データを受信する受信手段をさらに備えている請求項２に記載の画像表示システム。
【請求項４】
前記送信前に前記画像データを暗号化する暗号化手段と、
前記受信がされた画像データを復号化する復号化手段と、
をさらに備えている請求項３に記載の画像表示システム。
【請求項５】
前記支持体又は前記本体に設けられ前記装着がされたことを検出するセンサと、
前記装着の検出があったときは前記撮像素子による撮影及び前記認証手段による認証を実行する制御手段と、
をさらに備えている請求項２〜４のいずれかの一項に記載の画像表示システム。
【請求項６】
前記センサによりユーザの頭部から前記支持体が脱着されたことを検出したときは前記生体認証が再度なされるまで前記ディスプレイでの画像の表示を禁止する禁止手段をさらに備えている請求項５に記載の画像表示システム。
【発明の詳細な説明】
【技術分野】
【０００１】
本発明は、ユーザの頭部に装着されユーザの眼前に画像を表示する画像表示装置及び画像表示システムに関する。
【背景技術】
【０００２】
近年、モバイル・コンピューティングの普及により、ノートＰＣ、サブノートＰＣなどを電車内、駅構内、喫茶店内、ホテル内、その他の公共の場所で使用する機会が多くなっている。駅構内、喫茶店内などで公衆無線ＬＡＮサービスが普及していることもモバイル・コンピューティングの普及に拍車をかけている。
【０００３】
このように、電車内、喫茶店内などでノートＰＣ、サブノートＰＣなどを使用する場合は、ユーザの近くに他人が存在している場合が多く、他人に容易にＰＣのディスプレイを覗かれてしまうため、企業などの秘密情報（個人情報保護法で保護されるべき顧客情報など）が漏洩したり、個人のプライバシーが侵されたりする恐れがある。
【０００４】
そこで、このような不具合を解消するためには、眼鏡型、頭部装着型の画像表示装置を用いることが考えられる（特許文献１，２などを参照。なお、特許文献１，２に開示の画像表示装置はヴァーチャルリアリティ体感用の装置である）。この眼鏡型、頭部装着型の画像表示装置は、ユーザが眼鏡のように耳に掛けることで頭部に装着されるようにするか（眼鏡型）、直接頭部に装着する（頭部装着型）ことにより用いられ、ユーザの眼前に配置された筐体内に設けられたディスプレイに画像を表示するものである。
【０００５】
このような眼鏡型、頭部装着型の画像表示装置を用いれば、ユーザの眼前に画像が表示されても他人からはディスプレイを覗き難いので、前述の秘密情報の漏洩や、プライバシーの侵害の問題を防止することができる。
【０００６】
しかしながら、前述のようなモバイル・コンピューティングの使用環境においては、ユーザが席を外している間に他人がＰＣと眼鏡型、頭部装着型の画像表示装置とを用いて秘密情報やプライバシー情報を盗み見る恐れがある。また、ＰＣ及び眼鏡型、頭部装着型の画像表示装置が盗難にあって秘密情報やプライバシー情報が盗まれる恐れもある。
【０００７】
従来、他人がＰＣから勝手に情報を盗みだすことを防止するためには、パスワードの入力や指紋認証によりユーザの認証がなされたことを条件に、ＰＣ内のデータを閲覧可能とすることが一般的であった。
【特許文献１】特開平１１−２６５２４８号公報
【特許文献２】特開２０００−２７８７１３号公報
【発明の開示】
【発明が解決しようとする課題】
【０００８】
しかし、前述のようにキーボードなどの入力装置でパスワードを入力することや、指紋読取装置で指紋を読み取ることを条件にＰＣや眼鏡型、頭部装着型の画像表示装置を使用可能とすることは、パスワード入力操作（キーボードを叩かなければならない）や指紋読取操作（指先を指紋読取装置に当てて読み取らせる必要がある）という余計な操作を必要とするため、ユーザにとって煩雑であるという不具合がある。
【０００９】
また、駅構内、喫茶店内などの公衆無線ＬＡＮサービスは、ホットスポット（ＮＴＴコミュニケーションズの登録商標である）を共有して使用するシステムであるため、たとえパスワードの入力や指紋認証を条件にＰＣや眼鏡型、頭部装着型の画像表示装置を使用できるようにしても、ＰＣと眼鏡型、頭部装着型の画像表示装置とが情報のやりとりをしている間に情報が他人に傍受されてしまう恐れがあるという不具合もある。
【００１０】
そこで、本発明の目的は、眼鏡型、頭部装着型などの画像表示装置にＰＣなどから送信される画像を表示する際に、ユーザ認証を簡易に行えるようにすることである。
本発明の別の目的は、ユーザ認証がされた後の情報のやりとりを他人に傍受されないようにすることである。
【課題を解決するための手段】
【００１１】
（１）本発明は、ユーザの頭部に装着される支持体と、前記支持体に支持されてユーザの眼前に配置される本体と、前記本体に設けられてユーザの眼前に画像を表示するディスプレイと、前記支持体又は前記本体に設けられ前記装着がされた状態で当該支持体側又は当該本体側からユーザの顔の少なくとも一部の画像を撮影できる位置に配置されている撮像素子と、を備えている画像表示装置である。
【００１２】
（２）また、本発明は、（１）に記載の画像表示装置と、前記撮像素子で撮影した画像によりユーザの生体認証を行う認証手段と、前記生体認証がなされたことを条件に前記ディスプレイでの画像の表示を許可する許可手段と、を備えている画像表示システムである。
【００１３】
（３）別の本発明は、（２）に記載の画像表示システムにおいて、前記許可手段は、前記生体認証がなされたことを条件に前記ディスプレイに表示する画像データを前記画像表示装置に送信する送信手段であり、前記画像表示装置で前記送信がされた画像データを受信する受信手段をさらに備えている。
【００１４】
（４）別の本発明は、（３）に記載の画像表示システムにおいて、前記送信前に前記画像データを暗号化する暗号化手段と、前記受信がされた画像データを復号化する復号化手段と、をさらに備えている。
【００１５】
（５）別の本発明は、（２）〜（４）のいずれかの一項に記載の画像表示システムにおいて、前記支持体又は前記本体に設けられ前記装着がされたことを検出するセンサと、前記装着の検出があったときは前記撮像素子による撮影及び前記認証手段による認証を実行する制御手段と、をさらに備えている。
【００１６】
（６）別の本発明は、（２）〜（４）のいずれかの一項に記載の画像表示システムにおいて、前記センサによりユーザの頭部から前記支持体が脱着されたことを検出したときは前記生体認証が再度なされるまで前記ディスプレイでの画像の表示を禁止する禁止手段をさらに備えている。
【発明の効果】
【００１７】
（１）（２）の発明によれば、ディスプレイの設けられている本体側あるいは支持体側からユーザの顔の少なくとも一部の画像を撮影する撮像素子を備えているので、ユーザの顔の少なくとも一部を撮影して、撮影画像によりユーザの生体認証（ユーザの顔の少なくとも一部の画像を撮影する生体認証としては、虹彩認証、網膜認証、顔面模写（モーフィング）、骨格認証などが挙げられる）を行うことが可能となり、ユーザの生体認証がなされたことを条件にディスプレイへの画像表示を許可することができ、機密情報やプライバシー情報を保護することができる。
【００１８】
また、撮像素子は、画像表示装置を頭部に装着したときに支持体側又は本体側からユーザの顔の少なくとも一部の画像を撮影できる位置に配置されているので、頭部に画像表示装置を装着する以外の余計な操作を行うことなく必要な顔面の画像を撮影して生体認証を行うことが可能となる。よって、パスワード入力操作や指紋読取操作のような余計な操作を不要として、ユーザ認証を簡易に行なうことが可能となる。
【００１９】
（３）の発明によれば、生体認証がされずに画像表示の許可がされないときは画像表示装置に画像データが送信されないので、生体認証がされなかったにもかかわらず、画像データの送信側と画像表示装置とが情報のやりとりをしている間に情報が他人に傍受されてしまう恐れがない。
【００２０】
（４）の発明によれば、画像データを暗号化して送信するので、生体認証がされて画像データの送信側と画像表示装置とが情報のやりとりをしている間に情報が他人に傍受されてしまう恐れがない。
【００２１】
（５）の発明によれば、画像表示装置がユーザの頭部に装着されたことをセンサで検出すれば、自動的に撮影と生体認証を行うことができるので、パスワード入力操作や指紋読取操作のような余計な操作を不要として、ユーザ認証を簡易に行なうことが可能となる。
【００２２】
（６）の発明によれば、画像表示装置をユーザが頭部から脱着したときは、再度生体認証がされない限りディスプレイに画像が表示されないので、ユーザが一時的に席を立ったりした場合などでも秘密情報、プライバシー情報などを他人に見られることを防止することができる。
【発明を実施するための最良の形態】
【００２３】
以下、本発明を実施するための最良の一形態について図面を参照して説明する。
図１は、本実施形態の画像表示システム１の外観斜視図である。画像表示システム１は、画像表示装置１０１と、ＰＣ（Personal Computer）２０１とから構成されている。
【００２４】
まず、画像表示装置１０１の構成について説明する。図１に示すように、画像表示装置１０１は、本体となる筐体１０２と、筐体１０２を支持する支持体１０３とを備えている。本例の支持体１０３は、ユーザＹの頭部（図２参照）に装着され、この状態でユーザＹの眼前に筐体１０２を配置することができる。図示の例はユーザＹの頭部に直接装着される頭部装着型であるが、支持体１０３を眼鏡のつるのような形状としてユーザＹの耳にかけることなどにより支持体１０３をユーザＹの頭部に装着する眼鏡型に構成してもよい。
【００２５】
図２は、画像表示装置１０１の筐体１０２内における各装置の配置を示す側面図であり、図３は同背面図（ユーザＹ側から筐体１０２内を見た図）である。図２、図３に示すように、筐体１０２内にはディスプレイとなる液晶表示装置（ＬＣＤ：Liquid Crystal Display）１０４が設けられている。ＬＣＤ１０４は画像表示装置１０１がユーザＹの頭部に装着された状態でユーザの眼前に画像を表示することができる。ＬＣＤ１０４は筐体１０２の最奥部に配置されていて筐体１０２により遮られるので、ＬＣＤ１０４の表示画像はユーザＹ以外の者には見えにくくなっている。
【００２６】
筐体１０２内の天板側には撮像素子となるＣＣＤ（Charge Coupled Device）イメージセンサ１０５が設けられている。また、ＣＣＤイメージセンサ１０５の下部にはハーフミラー１０６が設けられている。ハーフミラー１０６は、通常はＣＣＤイメージセンサ１０５のすぐ下の位置に収納されているが、所定の連結機構１０７を介してモータ１０８の駆動によりユーザＹから遠い方の端縁部分に設けられた回転軸を中心に回転し、ユーザＹから近い方の端縁側をユーザＹの眼前を遮るように降ろすことができ、また、再度元の位置に収納することができる。ハーフミラー１０６を降ろした状態では、ハーフミラー１０６はユーザＹの顔の少なくとも一部を写し、所定の結像光学系１４１を介してＣＣＤイメージセンサ１０５に結像してユーザＹの顔の少なくとも一部を撮影することができる（本例ではユーザＹの右目の画像だけが撮影できればよい）。すなわち、画像表示装置１０１をユーザＹが正しく頭部に装着するだけで、ＣＣＤイメージセンサ１０５によりユーザＹの顔面の必要な部分が撮影できるような位置関係にＣＣＤイメージセンサ１０５、ハーフミラー１０６、結像光学系１４１は配置されている。ランプ１０９は、筐体１０２内の所定位置に設けられ、ユーザＹの顔の少なくとも一部を照明し、筐体１０２内でＣＣＤイメージセンサ１０５によるユーザＹの顔の撮影を行えるようにする。
【００２７】
また、支持体１０３又は筐体１０２（本例では支持体１０３の内側の面）には、ユーザＹの頭部に画像表示装置１０１を装着していることを検出するセンサ１１１が設けられている（図２参照）。センサ１１１は、具体的には圧力センサや光センサなどを用いることができる。
【００２８】
図４は、画像表示装置１０１の電気的な接続を説明するブロック図である。図４に示すように、画像表示装置１０１は、画像表示装置１０１全体を集中的に制御するＣＰＵ１２１と、ＣＰＵ１２１が実行する各種制御プログラムや固定データが記憶されたＲＯＭ１２２と、ＣＰＵ１２１のワークエリアとなるＲＡＭ１２３とがバス１２４で接続されて、マイクロコンピュータを構成している。
【００２９】
バス１２４には、さらに、前述のＬＣＤ１０４、ＣＣＤイメージセンサ１０５、モータ１０８、ランプ１０９、センサ１１１が、それぞれ液晶駆動回路１３１、ＣＣＤ駆動回路１３２、モータ駆動回路１３３、点灯回路１３４、センサ駆動回路１３５を介して接続されている。さらに、バス１２４には、画像処理回路１３６、画像メモリ１３７、インターフェイス（Ｉ／Ｆ）１３８も接続されている。画像処理回路１３６は、ＬＣＤ１０４に表示するための画像データにγ補正などの必要な画像処理を施すものである。画像メモリ１３７は、ＬＣＤ１０４に動画像などを表示するための画像データのバッファとなる。
【００３０】
Ｉ／Ｆ１３８は、画像表示装置１０１がＰＣ２０１と通信するためのインターフェイスであり、D-Sub15pinやＵＳＢ，IEEE1394など様々な規格を用いることができる。なお、Ｉ／Ｆ１３８は有線で画像表示装置１０１とＰＣ２０１とを接続しても良いし、無線通信により接続しても良い。
【００３１】
画像表示装置１０１の電源は、画像表示装置１０１とＰＣ２０１とのインターフェイスにＵＳＢを使用しているときはＰＣ２０１から供給を受けても良いし、商用交流電源から供給を受けても良いし、画像表示装置１０１に内蔵のバッテリーから供給を受けても良い。電源回路１３９は、これらの電源から画像表示装置１０１で必要とされる電源電圧を生成し、画像表示装置１０１の各部に供給する。
【００３２】
次に、ＰＣ２０１の構成について説明する。図５は、ＰＣ２０１の電気的な接続を説明するブロック図である。図５に示すように、ＰＣ２０１は、各種演算を行いＰＣ２０１の全体を集中的に制御するＣＰＵ２０２と、各種のＲＯＭ、ＲＡＭから構成されるメモリ２０３とがバス２０４で接続されている。
【００３３】
さらに、バス２０４には、磁気記憶装置（ＨＤＤ：Hard Disk Drive）２０５と、ＬＣＤなどの表示装置２０６と、キーボード、マウスなどの入力装置２０７と、記憶媒体２０８に記録されているデータを読み取る記憶媒体読取装置２０９と、インターネットなどのネットワーク２１０と通信を行う通信制御装置２１１と、ＰＣ２０１が画像表示装置１０１と通信を行うためのインターフェイス（Ｉ／Ｆ）２１２と、が接続されている。記憶媒体読取装置２０９は、具体的には、記憶媒体２０８がいずれのメディアであるか（ＤＶＤ、ＣＤ、フレキシブルディスクなどのうちいずれであるか）により、ＤＶＤドライブ装置、ＣＤドライブ装置、フレキシブルディスクドライブ装置などが用いられる。Ｉ／Ｆ２１２は、D-Sub15pinやＵＳＢ，IEEE1394など様々な規格を用いることができる。
【００３４】
ＰＣ２０１は、画像表示装置１０１の駆動用のプログラム（ドライバーソフト）を、記憶媒体読取装置２０９により記憶媒体２０８から読み取るか、インターネットなどのネットワーク２１０からダウンロードするか、あるいは、画像表示装置１０１のＲＯＭ１２２に予め記憶されているドライバーソフトを読み出して、ＨＤＤ２０５にインストールすることにより、後述の動作が可能な状態となる。なお、このドライバーソフトは所定のＯＳ（Operating System）上で動作する。
【００３５】
次に、画像表示システム１の動作について説明する。
図６、図８、図９は、画像表示装置１０１のＣＰＵ１２１がＲＯＭ１２２に格納されているプログラムに従って実行する処理のフローチャートであり、図７、図１０は、ＰＣ２０１のＣＰＵ２０２がＨＤＤ２０５にインストールされているドライバーソフトに従って実行する処理のフローチャートである。
【００３６】
まず、図６に示すように、画像表示装置１０１のＣＰＵ１２１は、所定時間（例えば２秒間）の間継続してセンサ１１１でユーザＹを検出したときは（Ｓ１のＹ）、ユーザＹが画像表示装置１０１を頭部に装着したと判断して、画像表示装置１０１のＬＣＤ１０４にＰＣ２０１から送られてきた画像データに基づく画像の表示が現在行われていなければ（Ｓ２のＮ）、モータ１０８を駆動してハーフミラー１０６をユーザＹの眼前に下げ（Ｓ３）、ランプ１０９を点灯し（Ｓ４）、ＣＣＤイメージセンサ１０５でユーザＹの顔面の少なくとも一部（本例では右目部分だけを撮影する）の画像を撮影する（Ｓ５）。撮影した画像の画像データはＰＣ２０１に送信し（Ｓ６）、ランプ１０９を消灯し（Ｓ７）、モータ１０８を駆動してハーフミラー１０６を元の位置に戻す（Ｓ８）。
【００３７】
次に、図７に示すように、ＰＣ２０１のＣＰＵ２０２は、Ｓ５で画像表示装置１０１が送信した画像データを受信したときは（Ｓ１１のＹ）、受信した画像データによりユーザＹの生体認証を行う（Ｓ１２）。この場合の生体認証としては、周知の虹彩認証、網膜認証、顔面模写（モーフィング）、骨格認証などが挙げられるが、ここでは、虹彩認証の場合の具体例について概要を後述する。Ｓ１２は本発明の認証手段を実現するものである。また、Ｓ４，Ｓ１２により制御手段を実現するものである。
【００３８】
Ｓ１２で生体認証によるユーザＹの認証がなされたときは（Ｓ１２のＹ）、表示装置１０１のＬＣＤ１０４での画像の閲覧を許可し（Ｓ１３）、ユーザＹの所望の画像の送信が開始される。これにより、ユーザＹは、ＷｅｂブラウザなどＰＣ２０１の様々なアプリケーションを操作して、所望の画像を表示装置１０１のＬＣＤ１０４で閲覧することができる。このＳ１３は、許可手段、送信手段を実現するものである。この場合に、ＰＣ２０１から表示装置１０１への画像データの送信は、目的の画像データを所定の暗号化方式で暗号化したうえで行う。これにより暗号化手段を実現している。
【００３９】
また、Ｓ１２で生体認証によるユーザＹの認証がなされなかったときは（Ｓ１２のＮ）、表示装置１０１のＬＣＤ１０４での画像の閲覧を禁止する（Ｓ１４）。この場合は、ユーザＹがどのようにＰＣ２０１を操作しても、表示装置１０１のＬＣＤ１０４で画像を閲覧することはできない。
【００４０】
そして、図８に示すように、画像表示装置１０１のＣＰＵ１２１は、ＰＣ２０１から画像データの送信が開始されたときは（Ｓ２１のＹ）、この画像データの受信をして、この画像データに基づく画像のＬＣＤ１０４への表示を開始する（Ｓ２２）。Ｓ２２により受信手段を実現している。なお、受信した画像データは画像メモリ１３７で一旦バッファリングされ、所定の復号化プログラムにより復号化されて（この復号化により復号手段を実現している）、再度、画像メモリ１３７でバッファリングされる（特にデータ量の多い動画像データなどの場合）。また、画像データは画像処理回路１３６でγ補正などの必要な画像処理を施してからＬＣＤ１０４に表示される。
【００４１】
この図８の処理により、ユーザＹはＰＣ２０１で閲覧可能な所望の画像を見ることができる。この画像閲覧中に、図９に示すように、画像表示装置１０１のＣＰＵ１２１が所定時間（例えば２秒間）の間継続してセンサ１１１でユーザＹを検出できなかったときは（Ｓ３１のＹ）、ユーザＹが画像表示装置１０１を頭部から脱着したと判断して、画像表示装置１０１のＬＣＤ１０４にＰＣ２０１から送られてきた画像データに基づく画像の表示が現在行われていれば（Ｓ３２のＹ）、禁止コマンドをＰＣ２０１に送信する（Ｓ３３）。
【００４２】
図１０に示すように、ＰＣ２０１のＣＰＵ２０２は、禁止コマンドを画像表示装置１０１から受信したときは（Ｓ４１のＹ）、画像表示装置１０１への画像データの送信を停止する（Ｓ４２）。このＳ３３，Ｓ４２により禁止手段を実現している。
【００４３】
この画像データの送信の停止後に、ユーザＹが画像表示装置１０１を再び頭部に装着したときは、再度、Ｓ１以下の処理が実行され、もう一度生体認証を行って（Ｓ１２）、画像表示装置１０１のＬＣＤ１０４への画像表示が再開されることになる。
【００４４】
なお、ＰＣ２０１に画像表示装置１０１以外の表示装置も接続されているときには、ＨＤＤ２０５にインストールされているドライバーソフトは、当該表示装置には常に画像の表示を禁止する（図１の図示例でもＰＣ２０１は表示装置を備えているが、この表示装置には画像の表示が常にされない）。
【００４５】
次に、生体認証（Ｓ１２）の一例として虹彩認証について説明する。
虹彩認識とは、人間の目の虹彩（アイリス）の特徴を利用して、カメラで撮影したアイリスのパターン画像をデータ化し、予め登録してある本人のアイリスデータと比較照合することにより個人を特定する個人認証技術である。これは、次の（１）〜（４）の処理を順次実行することにより実現される。
【００４６】
（１）局部化処理
ＣＣＤイメージセンサ１０５の撮影により得られた目の画像からアイリス部分を切り出す。これはアイリスの外側の境界（白目とアイリス）とアイリスの内側の境界（アイリスと瞳孔）とを、画像の明るさの違いなどを用いて検出することにより行なうことができる。
【００４７】
（２）特徴抽出
アイリスの外側境界から内側境界までを８層に分割した分析帯を決定する。この時、目蓋やまつ毛によりアイリスの一部が隠れることで誤ったアイリスデータとなることを防ぐため、特徴抽出を用いて使用する範囲を制限する。
【００４８】
次に、アイリスの中心を原点として極座標を考える。所定のフィルタにより各分析帯のアイリスの濃淡の変化を抽出する。そして、濃淡の変化をディジタル符号化することにより２５６バイトのアイリスデータが生成できる。
【００４９】
（３）マッチング
この符号化されたデータを入力されたアイリスデータとし、あらかじめ登録されているユーザＹのアイリスデータとマッチングを行うことによりハミング距離値を算出する。
【００５０】
（４）本人判定
正規化された距離値（ハミング距離値）が、所定の値（閾値）よりも小さいときはユーザＹ本人と判定し（Ｓ１２のＹ）、大きいときは（Ｓ１２のＮ）他人と判定する。この判定の為の閾値は、大量のアイリスデータを収集し統計的に処理することにより決定することができる。
【００５１】
以上が虹彩認証の概要であるが、虹彩認証技術は周知技術であり、これ以上の詳細な説明は省略する。また、本発明において、生体認証としては虹彩認証以外に網膜認証、顔面模写（モーフィング）、骨格認証などが使用できるが、これらの生体認証技術も周知技術であり、ここでは説明を省略する。なお、本発明に適用できる生体認証技術としては、ユーザＹの顔面の少なくとも一部の画像により認証を行うことができるすべての技術が含まれる。
【００５２】
以上説明した画像表示システム１によれば、ＬＣＤ１０４の設けられている筐体１０２側から（あるいは支持体１０３側からでもよい）ユーザＹの顔の少なくとも一部の画像を撮影するＣＣＤイメージセンサ１０５を備えているので、ユーザＹの顔の少なくとも一部を撮影して、撮影画像によりユーザの生体認証（虹彩認証、網膜認証、顔面模写（モーフィング）、骨格認証など）を行うことが可能となり（Ｓ１２）、ユーザの生体認証がなされたことを条件に（Ｓ１２のＹ）ＬＣＤ１０４への画像表示を許可することができるので、機密情報やプライバシー情報を保護することができる。
【００５３】
ＣＣＤイメージセンサ１０５は、画像表示装置１０１を頭部に装着したときに支持体１０３側又は筐体１０２側からユーザＹの顔の少なくとも一部の画像を撮影できる位置に配置されているので、頭部に画像表示装置１０１を装着する以外の余計な操作を行うことなく、必要な顔面の画像を撮影して生体認証を行うことが可能となる。本実施形態では、画像表示装置１０１がユーザＹの頭部に装着されたことをセンサ１１１で検出すれば（Ｓ１のＹ）、自動的に撮影（Ｓ５）と生体認証（Ｓ１２）を行うようにしている。
【００５４】
これにより、ユーザＹは画像表示装置１０１を頭部に装着するだけでよく、後は自動的に生体認証がされて画像がＬＣＤ１０４に表示されることを待てばよい。
【００５５】
これに対し、従来のパスワード入力や指紋認証では、パスワードをキーボードで入力し、あるいは指紋読取装置に自分の指紋を読み取らせるなどの余計な操作が必要であり煩雑であるのに比較すると、本システムの有利性は明らかである。
【００５６】
また、生体認証がされずに画像の閲覧を禁止する（Ｓ１４）手段として、本実施形態ではＰＣ２０１側からの画像データの送信そのものを禁止するようにしているが、ＰＣ２０１側からは制限を設けずに画像データを送信するようにして、画像表示装置１０１側でＬＣＤ１０４への表示を拒否するようにしてもよい。
【００５７】
しかしながら、本実施形態のようにＰＣ２０１側からの画像データの送信そのものを禁止すれば、生体認証がされなかったにもかかわらず、画像データの送信側ＰＣ２０１と画像表示装置１０１とが情報のやりとりをしている間に情報が他人に傍受されてしまう恐れがない。
【００５８】
また、ＰＣ２０１側で送信する画像データを暗号化し、画像表示装置１０１側で復号化するので、生体認証がされてＰＣ２０１側と画像表示装置１０１とが情報のやりとりをしている間に情報が他人に傍受されてしまう恐れもない。
【００５９】
さらに、画像の表示中に画像表示装置１０１をユーザＹが頭部から脱着したときは（Ｓ３１のＹ，Ｓ３２のＹ）、再度生体認証がされない限り（Ｓ１，Ｓ２，Ｓ１２）ＬＣＤ１０４に画像が表示されないので（Ｓ３３）、ユーザＹが一時的に席を立ったりした場合などでも秘密情報、プライバシー情報などを他人に見られることを防止することができる。
【００６０】
なお、本実施形態では、生体認証はＰＣ２０１のＣＰＵ２０２が実行するが、本発明はこれに限定するものではなく、画像表示装置１０１のＣＰＵ１２１で実行するようにしても良い。この場合は、画像表示装置１０１単体で画像表示システム１を実施することが可能となる。
【００６１】
また、本実施形態では、ＰＣ２０１のＣＰＵ２０２と画像表示装置１０１のＣＰＵ１２１とのやりとりにより一連の処理を実行するようにしているが、本発明はこれに限定するものではなく、画像表示装置１０１にはＣＰＵ１２１、ＲＯＭ１２２、ＲＡＭ１２３から構成されるマイクロコンピュータを設けず、液晶駆動回路１３１、ＣＣＤ駆動回路１３２、点灯回路１３４、モータ駆動回路１３３、センサ回路１３５を直接ＰＣ２０１に接続可能とし、すべての処理をＰＣ２０１のＣＰＵ２０２で実行するようにしても良い。このような構成にしたときは、画像表示装置１０１の製造コストを低減し、また、画像表示装置１０１の軽量化を図ることができる。
【図面の簡単な説明】
【００６２】
【図１】本発明の一実施形態である画像表示システムの外観斜視図である。
【図２】画像表示システムを構成する画像表示装置の筐体内における各装置の配置を示す側面図であり、
【図３】同背面図である。
【図４】画像表示装置の電気的な接続を説明するブロック図である。
【図５】画像表示システムを構成するＰＣの電気的な接続を説明するブロック図である。
【図６】画像表示装置のＣＰＵが実行する処理のフローチャートである。
【図７】ＰＣのＣＰＵが実行する処理のフローチャートである。
【図８】画像表示装置のＣＰＵが実行する処理のフローチャートである。
【図９】画像表示装置のＣＰＵが実行する処理のフローチャートである。
【図１０】ＰＣのＣＰＵが実行する処理のフローチャートである。
【符号の説明】
【００６３】
１    画像表示システム
１０１    画像表示装置
１０２    本体
１０３    支持体
１０４    ディスプレイ
１０５    撮像素子
【図１】
2007003745.tif 000003
【図２】
2007003745.tif 000004
【図３】
2007003745.tif 000005
【図４】
2007003745.tif 000006
【図５】
2007003745.tif 000007
【図６】
2007003745.tif 000008
【図７】
2007003745.tif 000009
【図８】
2007003745.tif 000010
【図９】
2007003745.tif 000011
【図１０】
2007003745.tif 000012